(57)【要約】【課題】  線状光源を有する発光手段を用いて、照明領域全域を均一に照明することができる照明装置を提供すること。【解決手段】  反射手段６は、第１〜第３線状光源部２０，２２，２４のそれぞれに対応して配設されたシリンドリカル状の第１〜第３反射部２８，３０，３２から構成され、集光手段１０は、第１及び第２線状光源部２０，２２にそれぞれ対応して配設された第１及び第２レンズ部４８，５０から構成された照明装置２。第１〜第３線状光源部２０，２２，２４に直交する断面において、第１及び第２線状光源部２０，２２は集光手段１０側に配設され、第３線状光源部２４は反射手段６側に配設されるとともに、第１線状光源部２０と第２線状光源部２２の中間部に配設されている。【選択図】  図１
2006173054.tif 000002
【特許請求の範囲】
【請求項１】
発光手段と、前記発光手段からの光を反射する反射手段と、前記反射手段にて反射された反射光を集光して照明領域を照明する集光手段とを備えた照明装置において、
前記反射手段は前記発光手段の後方に配設され、また前記集光手段は前記発光手段の前方に配設されており、前記発光手段は透明な管体から構成されるとともに、互いに実質上平行に配設された第１〜第３線状光源部を有し、前記反射手段は、前記第１〜第３線状光源部のそれぞれに対応して配設されたシリンドリカル状の第１〜第３反射部から構成され、前記集光手段は、前記第１及び第２線状光源部にそれぞれ対応して配設された第１及び第２レンズ部から構成されており、
前記第１〜第３線状光源部に直交する断面において、前記第１及び第２線状光源部は前記集光手段側に配設され、前記第３線状光源部は前記反射手段側に配設されるとともに、前記第１線状光源部と前記第２線状光源部の中間部に配設されていることを特徴とする照明装置。
【請求項２】
前記第１線状光源部からの光は、前記第１反射部で反射された後に前記第１レンズ部で集光されて主として前記照明領域の上側領域を照明し、前記第２線状光源部からの光は、前記第２反射部で反射された後に前記第２レンズ部で集光されて主として前記照明領域の下側領域を照明し、また前記第３線状光源部からの光は、前記第３反射部で反射された後に前記第１及び第２レンズ部で集光されて前記照明領域を照明することを特徴とする請求項１に記載の照明装置。
【請求項３】
前記第１〜第３線状光源部に直交する断面において、前記第１線状光源部は、前記第１反射部及び前記第１レンズ部の一致した光軸上に位置し、また前記第２線状光源部は、前記第２反射部及び前記第２レンズ部の一致した光軸上に位置し、前記第３の線状光源部は、前記第３反射部の光軸上に位置していることを特徴とする請求項１又は２に記載の照明装置。
【請求項４】
前記第１〜第３線状光源部に直交する断面において、前記第１線状光源部は前記第１反射部及び前記第１レンズ部の一致した光軸上よりも前記第３線状光源部側に位置しており、また前記第２線状光源部は前記第２反射部及び前記第２レンズ部の一致した光軸上よりも前記第３線状光源部側に位置しており、また前記第３線状光源部は、前記第３反射部の光軸上に位置していることを特徴とする請求項１又は２に記載の照明装置。
【請求項５】
前記発光手段はキセノン管から構成され、このキセノン管の管体を一方向へＵ字状に屈曲し、さらに他方向へ逆Ｕ字状に屈曲して第１〜第３直管部を構成し、前記第１〜第３直管部は互いに所定の間隔を置いて隣接し且つ実質上平行に配設されて前記第１〜第３線状光源部を構成することを特徴とする請求項１〜４のいずれかに記載の照明装置。
【請求項６】
前記第１及び第２レンズ部は、それぞれフレネルレンズで構成されていることを特徴とする請求項１〜５のいずれかに記載の照明装置。
【発明の詳細な説明】
【技術分野】
【０００１】
本発明は、例えば無人式速度取締装置や画像処理検査装置などの光源として用いられ、照明領域を均一に照明するための照明装置に関する。
【背景技術】
【０００２】
例えば無人式速度取締装置や画像処理検査装置などでは、照明領域に存在する被撮影物をＣＣＤカメラなどにより撮影するために広い範囲の照明領域を照明する必要があり、このように照明領域を照明するための照明装置が従来より用いられている。この照明装置は、発光手段と、発光手段からの光を反射する反射手段と、反射手段にて反射された反射光を集光する集光手段とを備えている（例えば、特許文献１参照）。発光手段は、所定方向に並べた複数の放電灯から構成され、反射手段は、各放電灯にそれぞれ対向して設けられたシリンドリカル状の複数の反射板から構成され、また集光手段は、発光手段の前方に設けたレンズ板から構成されている。
【０００３】
【特許文献１】特開平１１−９６８２２号公報
【発明の開示】
【発明が解決しようとする課題】
【０００４】
上述のような従来の照明装置では、次のような問題がある。一般に、略矩形状の照明領域を照明するためには、上述のように、発光手段を例えば所定方向に一列に並べた複数の放電灯から構成する方法が行われている。しかしながら、このように構成すると発光領域の面積が大きくなり、その分、照明装置が大型化してしまうという問題が生じていた。
【０００５】
また、発光手段を線状光源で構成した場合には、発光手段に矩形状のアパーチャを設けて、このアパーチャにより照明領域が略矩形状に照明される。しかしながら、発光手段と集光手段との離間距離が比較的短い場合には、発光手段からの光を効率よく集光手段にて集光させるためにはアパーチャの大きさを小さくしなければならず、その結果、発光手段からの光のごく一部のみがアパーチャを介して照明領域に照明されることとなるため、照明領域の特に四隅部分が光量不足となるという問題が生じていた。したがって、発光手段を線状光源で構成した場合には、照明領域全域を適切な光量でもって均一に照明することは不可能であった。
【０００６】
本発明の目的は、線状光源を有する発光手段を用いて、照明領域全域を均一に照明することができる照明装置を提供することである。
【課題を解決するための手段】
【０００７】
本発明の請求項１に記載の照明装置では、発光手段と、前記発光手段からの光を反射する反射手段と、前記反射手段にて反射された反射光を集光して照明領域を照明する集光手段とを備えた照明装置において、
前記反射手段は前記発光手段の後方に配設され、また前記集光手段は前記発光手段の前方に配設されており、前記発光手段は透明な管体から構成されるとともに、互いに実質上平行に配設された第１〜第３線状光源部を有し、前記反射手段は、前記第１〜第３線状光源部のそれぞれに対応して配設されたシリンドリカル状の第１〜第３反射部から構成され、前記集光手段は、前記第１及び第２線状光源部にそれぞれ対応して配設された第１及び第２レンズ部から構成されており、
前記第１〜第３線状光源部に直交する断面において、前記第１及び第２線状光源部は前記集光手段側に配設され、前記第３線状光源部は前記反射手段側に配設されるとともに、前記第１線状光源部と前記第２線状光源部の中間部に配設されていることを特徴とする。
【０００８】
また、本発明の請求項２に記載の照明装置では、前記第１線状光源部からの光は、前記第１反射部で反射された後に前記第１レンズ部で集光されて主として前記照明領域の上側領域を照明し、前記第２線状光源部からの光は、前記第２反射部で反射された後に前記第２レンズ部で集光されて主として前記照明領域の下側領域を照明し、また前記第３線状光源部からの光は、前記第３反射部で反射された後に前記第１及び第２レンズ部で集光されて前記照明領域を照明することを特徴とする。
【０００９】
さらに、本発明の請求項３に記載の照明装置では、前記第１〜第３線状光源部に直交する断面において、前記第１線状光源部は、前記第１反射部及び前記第１レンズ部の一致した光軸上に位置し、また前記第２線状光源部は、前記第２反射部及び前記第２レンズ部の一致した光軸上に位置し、前記第３の線状光源部は、前記第３反射部の光軸上に位置していることを特徴とする。
【００１０】
さらにまた、本発明の請求項４に記載の照明装置では、前記第１〜第３線状光源部に直交する断面において、前記第１線状光源部は前記第１反射部及び前記第１レンズ部の一致した光軸上よりも前記第３線状光源部側に位置しており、また前記第２線状光源部は前記第２反射部及び前記第２レンズ部の一致した光軸上よりも前記第３線状光源部側に位置しており、また前記第３線状光源部は、前記第３反射部の光軸上に位置していることを特徴とする。
【００１１】
また、本発明の請求項５に記載の照明装置では、前記発光手段はキセノン管から構成され、このキセノン管の管体を一方向へＵ字状に屈曲し、さらに他方向へ逆Ｕ字状に屈曲して第１〜第３直管部を構成し、前記第１〜第３直管部は互いに所定の間隔を置いて隣接し且つ実質上平行に配設されて前記第１〜第３線状光源部を構成することを特徴とする。
【００１２】
さらに、本発明の請求項６に記載の照明装置では、前記第１及び第２レンズ部は、それぞれフレネルレンズで構成されていることを特徴とする。
【発明の効果】
【００１３】
本発明の請求項１に記載の照明装置によれば、発光手段は互いに実質上平行に配設された第１〜第３線状光源部を有し、反射手段は第１〜第３線状光源部のそれぞれに対応して配設されたシリンドリカル状の第１〜第３反射部から構成され、また集光手段は第１及び第２線状光源部にそれぞれ対応して配設された第１及び第２レンズ部から構成され、発光手段、反射手段及び集光手段はそれぞれ所要の通りに配設されているので、発光手段を３つの線状光源部から構成しながら、従来のように発光手段にアパーチャなどを設けることなく略矩形状の照明領域の実質上全域を均一に照明することができる。その結果、光量を低下させることなく適切な光量でもって照明領域の実質上全域を均一に照明することが可能となる。また、発光手段は透明な管体から構成されているので、発光手段からの光が反射手段で反射された後に発光手段の管体を透過して照明領域を照明するため、反射手段にて反射された反射光を効率よく集光手段で集光させることが可能となる。
【００１４】
また、本発明の請求項２に記載の照明装置によれば、第１線状光源部からの光は主として照明領域の上側領域を照明し、第２線状光源部からの光は主として照明領域の下側領域を照明し、また第３線状光源部からの光は照明領域を照明するので、ムラなく均一に照明領域を照明することが可能となる。
【００１５】
さらに、本発明の請求項３に記載の照明装置によれば、第１〜第３線状光源部に直交する断面において、第１線状光源部は、第１反射部及び第１レンズ部の一致した光軸上に位置し、また第２線状光源部は、第２反射部及び第２レンズ部の一致した光軸上に位置し、第３の線状光源部は、第３反射部の光軸上に位置しているので、第１〜第３線状光源部からの光をそれぞれ第１〜第３反射部で効率よく反射させ、また第１及び第２反射部にて反射された反射光をそれぞれ第１及び第２レンズ部で効率よく集光させて略矩形状の照明領域を実質上均一に照明することが可能となる。
【００１６】
さらにまた、本発明の請求項４に記載の照明装置によれば、第１〜第３線状光源部に直交する断面において、第１線状光源部は第１反射部及び第１レンズ部の一致した光軸上よりも第３線状光源部側に位置しており、また第２線状光源部は第２反射部及び第２レンズ部の一致した光軸上よりも第３線状光源部側に位置しているので、第１及び第２反射部はそれぞれ互いに遠ざかる方向へ移動し、これにより第３反射部の大きさをより大きくすることができる。その結果、第３線状光源部からの光を、より大きい面積の反射面を有する第３反射部で反射させることができるので、第３線状光源部からの光の利用効率を高めて照明領域を実質上均一に照明することが可能となる。
【００１７】
また、本発明の請求項５に記載の照明装置によれば、発光手段はキセノン管から構成され、このキセノン管の管体を所要の通りに屈曲させて第１〜第３直管部を構成しているので、発光手段の管体の電極の数が２個で、３つの線状光源部を構成するものとなり、３本の別個のキセノン管により発光手段を構成する場合と比して、発光手段を点灯させるための点灯回路などの構成を簡単なものとすることができる。
【００１８】
さらに、本発明の請求項６に記載の照明装置によれば、第１及び第２レンズ部は、それぞれフレネルレンズで構成されているので、照明装置をより一層小型化することが可能となる。
【発明を実施するための最良の形態】
【００１９】
以下、添付図面を参照して、本発明に従う照明装置の一実施形態について説明する。図１は、本発明の一実施形態による照明装置を示す要部断面図、図２は、図１の発光手段及び反射手段を示す斜視図、図３は、図１の集光手段を示す平面図、図４は、図１の第３線状光源部からの配光を説明するための概略説明図、図５は、図１の第１及び第２線状光源部からの配光を説明するための概略説明図、図６は、図１の照明装置の照度分布を説明するための概略説明図である。
【００２０】
図１〜図３を参照して、図示の照明装置２は、発光手段４と、発光手段４からの光を反射する反射手段６と、反射手段６にて反射された反射光を集光して照明領域８（図６参照）を照明する集光手段１０とを備えている。まず、照明装置２の各構成要素について詳細に説明する。
【００２１】
発光手段４は、透明な管体１２を有する１本のキセノン管１１から構成されており、このキセノン管１１の管体１２を一方向（図２において左側方向）へＵ字状に屈曲して互いに実質上平行に配設した第１直管部１４及び第２直管部１６と、さらに管体１２を他方向（図２において右側方向）へ逆Ｕ字状に屈曲して第１及び第２直管部１４，１６とそれぞれ実質上平行に配設した第３直管部１８とから構成されている。第１〜第３直管部１４，１６，１８はそれぞれ、所定方向（図２において左右方向）に実質上平行に延びる線状光源となり、第１，第３，第２直管部１４，１８，１６はそれぞれ第１，第２，第３線状光源部２０，２２，２４を構成する。第１〜第３線状光源部２０，２２，２４は互いに実質上平行に配設され、また互いに所定の間隔を置いて隣接して配設されている。したがって、第１〜第３線状光源部２０，２２，２４はそれぞれ束状に配設されることとなり、これにより発光手段４は全体として隣接した３本の線状光源となり、略矩形状の照明領域８を照明するための略矩形状の光源とみなすことができる。また、発光手段４の管体１２の両端部にはそれぞれ電極２６が設けられており、この一対の電極２６間には点灯回路（図示せず）により所定電圧が印加される。このように一対の電極２６間に所定電圧が印加されることにより、発光手段４、すなわち第１〜第３線状光源部２０，２２，２４がそれぞれ点灯し発光する。
【００２２】
反射手段６は、第１〜第３線状光源部２０，２２，２４のそれぞれに対応して配設されたシリンドリカル状の第１〜第３反射部２８，３０，３２から構成されている。図２では、反射手段６は二点鎖線で図示してある。第１及び第２反射部２８，３０の長手方向に垂直な断面において、第１及び第２反射部２８，３０はそれぞれ、曲線状に形成された曲線部３４ａ，３４ｂと、この曲線部３４ａ，３４ｂから延びる延長部３６ａ，３６ｂとから構成されている。ここで、曲線部３４ａ，３４ｂはそれぞれ、下記の数式（１）で表される非球面３３ａ，３３ｂ（図１中において破線で示す）の一部で形成されており、曲線部３４ａ，３４ｂの一端部（第３反射部３２側の端部）はそれぞれ非球面３３ａ，３３ｂの頂点と一致し、また曲線部３４ａ，３４ｂの他端部からは延長部３６ａ，３６ｂが延びている。なお、本実施形態では、数式（１）は、基準Ｒ＝３４．２、非球面係数ｋ＝−１．２の双曲線としたが、これらの係数などは照明装置２の用途に応じて適宜変更することが可能である。かくして、第１及び第２反射部２８，３０は、この曲線部３４ａ，３４ｂ及び延長部３６ａ，３６ｂをその平面に垂直な方向（図１において紙面に対して垂直な方向）に平行移動することにより形成される、断面が非球面のシリンドリカル反射部となる。
【００２３】
【数１】
2006173054.tif 000003
また、第３反射部３２は、その長手方向に垂直な断面が円弧状の曲線３５で形成されており、その両端部は、第１及び第２反射部２８，３０の曲線部３４ａ，３４ｂの各一端部（すなわち、非球面３３ａ，３３ｂの頂点）とそれぞれ接続されている。したがって、第３反射部３２は、この円弧状の曲線３５をその平面に垂直な方向（図１において紙面に対して垂直な方向）に平行移動することにより形成される形状であって、部分円筒状の形状となる。なお、この第３反射部３２の断面における曲面を非球面とすることも可能である。以下、各反射部２８，３０，３２の曲面とは、これら各反射部２８，３０，３２の断面における曲面をいう。以上のようにして構成された第１及び第２反射部２８，３０は、第３反射部３２の両側端部からそれぞれ延びて形成されることとなり、これら第１〜第３反射部２８，３０，３２が一体的に構成されて反射手段６を構成する。なお、反射手段６は、例えば１枚の金属プレートをプレスすることにより成型することができ、又は複数枚の金属プレートを接続することによって形成することができる。
【００２４】
さらに、第１及び第２反射部２８，３０の断面における光軸３８，４０はそれぞれ、それらの各曲面の頂点（すなわち、曲線部３４ａ，３４ｂを形成する非球面３３ａ，３３ｂの頂点）を通って図１において左右方向に延びており、また第３反射部３２の断面における光軸４２は、その曲面３５の頂点を通って図１において左右方向に延びている。
【００２５】
第１〜第３反射部２８，３０，３２の凹面側はそれぞれ、例えば金属膜などにより鏡面状に形成されており、これにより第１〜第３線状光源部２０，２２，２４からの光を反射するための反射面が構成される。また、図１に示すように、第１及び第２反射部２８，３０には、その凸面側より外方へ向かって延びる板状の固定部４４がそれぞれ設けられている。さらに、第１〜第３反射部２８，３０，３２の長手方向の両端部には、板状の端壁部４６がそれぞれ設けられており、この端壁部４６の内面側も同様に鏡面状に形成され、これにより第１〜第３線状光源部２０，２２，２４からの光を反射するための反射面が構成される。
【００２６】
集光手段１０は、第１及び第２線状光源部２０，２２にそれぞれ対応して配設された第１及び第２レンズ部４８，５０から構成されており、この第１及び第２レンズ部４８，５０はそれぞれフレネルレンズ５２で構成されている。フレネルレンズとは、例えばアクリル樹脂をプレス成形することにより形成された板状のレンズであり、その一方の端面にはレンズ面が形成されている。このレンズ面においては、凸レンズが同心円状に分割されてそれらが平坦に配置されており、レンズ面の中心部の周囲に円形状の溝が複数形成されている。また、フレネルレンズ５２の光軸はレンズ面の中心部（すなわち、複数の円形状の溝の中心部）を通り、レンズ面に垂直な方向に延びている。第１及び第２レンズ部４８，５０はそれぞれ、このフレネルレンズをレンズ面６０の中心部６２近傍を通る切断面にて２つに切断して、この２つに切断したフレネルレンズのうちレンズ面６０の中心部６２を含む方のフレネルレンズ５２により構成されている。すなわち、第１及び第２レンズ部４８，５０の切断面である切断側部５４が相互に例えば接着剤などで一体的に接合され、このように接合することによって集光手段１０が構成される（図３参照）。また、第１及び第２レンズ部４８，５０の光軸５６，５８は、各レンズ面６０の中心部６２を通りレンズ面６０に垂直な方向にそれぞれ延びており、またこれら各光軸５６，５８上又はその近傍の所定位置にはそれぞれ焦点が位置されている。
【００２７】
次に、照明装置２の構造について詳細に説明する。反射手段６は発光手段４の後方（図１において左側）に配設され、また集光手段１０は発光手段４の前方（図１において右側）に配設されており、反射手段６及び集光手段１０はケーシング６４により保持されている。このケーシング６４は直方体状に形成され、一方の端面には矩形状の第１開口部６６が設けられており、この第１開口部６６には第１取付部６８が内方に突出して設けられている。また、ケーシング６４の他方の端面には矩形状の第２開口部７０が設けられており、この第２開口部７０には、第２取付部７２が内方に突出して設けられている。第１及び第２反射部２８，３０はその一部がケーシング６４内に収納され、第１及び第２反射部２８，３０にそれぞれ設けた固定部４４がネジ（図示せず）などにより第２取付部７２に固定され、これにより反射手段６がケーシング６４に取り外し可能に保持される。この取付状態においては、反射手段６の開口側は、ケーシング６４の第１開口部６６の近傍まで延びている。
【００２８】
また、ケーシング６４の第１取付部６８には、第１及び第２レンズ部４８，５０の外周部が例えば接着剤などにより固定的に（又は、着脱自在に）取り付けられており、これにより第１及び第２レンズ部４８，５０がケーシング６４の第１開口部６６に保持される。この取付状態においては、第１及び第２レンズ部４８，５０は反射手段６の開口側を覆い、また第１及び第２レンズ部４８，５０の各レンズ面６０は発光手段４側とは反対側（図１において右側）にそれぞれ配設される。
【００２９】
反射手段６の各端壁部４６にはそれぞれソケット（図示せず）が設けられており、このソケットには発光手段４の管体１２の各電極２６が着脱自在に装着されて保持される。各ソケットは、電力ケーブル（図示しない）を介して照明装置２に設けられた点灯回路（図示せず）に電気的に接続されており、この点灯回路により管体１２の電極２６間に所定電圧を印加することにより、発光手段４が点灯し発光する。
【００３０】
また、第１〜第３線状光源部２０，２２，２４に直交する断面において、第１及び第２線状光源部２０，２２は集光手段１０側に並んで配設され、また第３線状光源部２４は、反射手段６側に配設されて第３反射部３２の凹面側に対向されるとともに、第１線状光源部２０と第２線状光源部２２のほぼ中間部に配設され、第１及び第２線状光源部２０，２２は、それぞれ第１及び第２レンズ部４８，５０に対向している。また、第３反射部３２は第３線状光源部２４の凹面側に近接して配設されており、このように第３反射部３２を配設することにより照明装置２を小型化することが可能となるが、これは次のような理由による。第３反射部３２へ向けて第３線状光源部２４から出射される光は、第３線状光源部２４から所定角度範囲でもって拡がった配光をなすため、第３線状光源部２４から遠ざかるほど、その拡がった配光をカバーするために第３反射部３２の大きさ（角度範囲）を大きくしなければならないが、この第３反射部３２を第３線状光源部２４に近付けると、この小さい第３反射部３２であっても第３線状光源部２４からの拡がった配光をカバーすることができ、その結果、照明装置２を小型化することができるのである。
【００３１】
また、第１反射部２８（第２反射部３０）の光軸３８（４０）は、その曲面の頂点を通って図１において左右方向に延びており、また第１レンズ部４８（第２レンズ部５０）の光軸５６（５８）は、レンズ面６０の中心部６２を通って図１において左右方向に延びており、これら各光軸３８，５６（４０，５８）は実質上一致している。さらに、第１線状光源部２０は、第１反射部２８及び第１レンズ部４８の一致した光軸３８，５６上に位置している。また、第２線状光源部２２は、第２反射部３０及び第２レンズ部５０の一致した光軸４０，５８上に位置している。また、第３反射部３２の光軸４２は、その曲面の頂点を通って図１において左右方向に延びており、第３線状光源部２４は第３反射部３２の光軸４２上に位置している。この第１線状光源部２０及び第２線状光源部２２は、第３線状光源部２４を中心に対称に配置される。さらに、第３反射部３２の光軸４２は第１及び第２レンズ部４８，５０の接合部（第１及び第２レンズ部４８，５０の各切断側部５４）を通っており、第１レンズ部４８は、第３反射部３２の光軸４２よりも一方側（図１において上側）に設けられ、また第２レンズ部５０は、第３反射部３２の光軸４２よりも他方側（図１において下側）に設けられている。
【００３２】
次に、図４〜図６を参照して、照明装置２による照明領域８の照明について説明する。第１〜第３線状光源部２０，２２，２４からの光の配光を斜線で示しており、また、図面が煩雑になるのを避けるため、第１〜第３反射部２８，３０，３２で反射される光の配光のみを図示しているが、図示のもの以外にも多数の光の配光が存在することは言うまでもない。例えば、この照明装置２を無人式速度取締装置の光源として使用する場合には、照明領域８に存在する自動車のナンバープレートなどの被撮影物（図示せず）をＣＣＤカメラなど（図示せず）により撮影する際に、照明装置２により照明領域８を実質上均一に照明することとなる。照明装置２の第１及び第２レンズ部４８，５０は照明領域８と対向しており、第１及び第２レンズ部４８，５０と照明領域８との間は距離Ｄ１（図６参照）だけ離間されている。各線状光源部２０，２２，２４と照明領域８とは物体と像の略結像関係にある。それ故、各線状光源部２０，２２，２４から出射された光は反射手段６と集光手段１０を通過後、照明領域８に集光する。点灯回路により管体１２の電極２６間に所定電圧が印加されると、発光手段４の第１〜第３線状光源部２０，２２，２４がそれぞれ点灯して、その全周方向から光が放射状に出射して発光する。
【００３３】
第１線状光源部２０からの光のうち、第１反射部２８に向けて出射された光は図５及び図６に示すように、第１反射部２８の凹面側の反射面で反射され、さらにこの反射光が第１レンズ部４８に入射される。この時、第１線状光源部２０は透明な管体１２で構成されているため、第１反射部２８からの反射光の一部は第１線状光源部２０の管体１２内を透過して第１レンズ部４８へと入射されることとなり、第１反射部２８からの反射光を無駄なく効率的に利用することが可能となる。この光は、第１レンズ部４８より出射した後、第１レンズ部４８の光軸５６に近付く方向に屈曲されて照明領域８上に位置する焦点に集光され、主として照明領域８の上側領域（図６において第３反射部３２の光軸４２よりも上側の領域）を照明する。
【００３４】
また、第２線状光源部２２からの光のうち、第２反射部３０に向けて出射された光は、図５及び図６に示すように、第２反射部３０の凹面側の反射面で反射され、さらにこの反射光が第２レンズ部５０に入射される。この時、上述したのと同様に第２反射部３０からの反射光の一部は第２線状光源部２２の管体１２内を透過して第２レンズ部５０へ入射される。そして、この光は第２レンズ部５０より出射され、第２レンズ部５０の光軸５８に近付く方向に屈曲されて照明領域８上に集光されて、主として照明領域８の下側領域（図６において第３反射部３２の光軸４２よりも下側の領域）を照明する。
【００３５】
さらに、第３線状光源部２４からの光のうち、第３反射部３２に向けて出射された光は、図４及び図６に示すように、第３反射部３２の凹面側の反射面で反射され、さらにこの反射光が第１及び第２レンズ部４８，５０にそれぞれ入射される。この時、第３反射部３２からの反射光の一部は、第１〜第３線状光源部２０，２２，２４の各管体１２内をそれぞれ透過して第１及び第２レンズ部４８，５０にそれぞれ入射される。第１及び第２レンズ部４８，５０に入射された光は、各レンズ部４８，５０より出射した後に第３反射部３２の光軸４２から遠ざかる方向に屈曲されて照明領域８上に集光され、これにより照明領域８の周辺部の照度を上げて照度の均一化に寄与することとなる。
【００３６】
第１〜第３線状光源部２０，２２，２４からの光が上述したように導かれるので、照明領域８における照度分布は図６に示すようになる。第１線状光源部２０からの光による照度分布８０は、主として照明領域８の上側領域においてそのピークを有しており、また第２線状光源部２２からの光による照度分布８２は、主として照明領域８の下側領域においてそのピークを有している。また、第３線状光源部２４からの光による照度分布８４は、照明領域８の上側領域及び下側領域においてそれぞれそのピークを有しており、これにより照明領域８の実質上全域を照明することとなる。したがって、照明領域８では、第１〜第３線状光源部２０，２２，２４からの光の照度分布を重ね合わせると、全体として照度分布８６で示すようになり、照明領域８の上側領域から下側領域にかけて所定の幅を有する実質上均一な照度となる。その結果、照明領域８では、第１〜第３線状光源部２０，２２，２４の長手方向（図６の紙面に対して垂直な方向）に沿って所定の幅で照明されることとなるため、これにより照明領域８は略矩形状に照明されることとなり、また均一に且つムラなく照明領域８が照明される。
【００３７】
なお、第１〜第３線状光源部２０，２２，２４からの光のうち、第１〜第３線状光源部２０，２２，２４からそれぞれ第１及び第２レンズ部４８，５０へ直接入射する直接光は、集光せずに広がった配光をなすため照明領域８を照明するのにはほとんど寄与しておらず、主として第１〜第３反射部２８，３０，３２にて反射された反射光により照明領域８が照明されることとなる。また、図６では、説明の都合上、第１及び第２反射部２８，３０の曲線部３４ａ，３４ｂで反射された光の配光のみを図示しているが、その延長部３６ａ，３６ｂにて反射された光も第１及び第２レンズ部４８，５０により集光されて照明領域８を照明することは言うまでもない。また、第１〜第３線状光源部２０，２２，２４の各管体１２の長さを調節することにより、照明領域８における照明幅を調節することが可能である。
【００３８】
本実施形態による照明装置２では、次のような効果を奏することができる。第１に、発光手段４の発光領域は線状となるため、発光領域の面積を小さくすることができ、その結果、照明装置２を小型化することが可能となる。第２に、発光手段４、反射手段６及び集光手段１０を上述のように配設することによって、線状の発光領域を有する発光手段４であっても照明領域８を均一に照明することができる。したがって、発光領域４を線状に構成して照明装置２の大きさを小さくしながら、照明領域８に存在する被撮影物を撮影するのに適した光量でもって照明領域２を均一に照明することができる。
【００３９】
次に、図７を参照して、照明装置の他の実施形態について説明する。図７において、図１〜図６に示す実施形態の構成要素と同一の構成要素には同一の符号を付してその説明を省略する。図７の実施形態の照明装置２Ａでは、第１線状光源部２０は、第１反射部２８Ａ及び第１レンズ部（図示せず）の一致した光軸３８，５６上よりも第３線状光源部２４側に位置され、また第２線状光源部２２は、第２反射部３０Ａ及び第２レンズ部（図示せず）の一致した光軸４０，５８上よりも第３線状光源部２４側に位置されている。すなわち、反射手段６Ａを構成する第１及び第２反射部２８Ａ，３０Ａの各曲面の頂点が、上記実施形態の場合よりもそれぞれ互いに遠ざかる方向へ移動している。これにより、第１線状光源部２０から発せられた光は、光軸３８，５６から外側に（すなわち、遠ざかる方向に）屈曲されて照明領域（図示せず）上の外側に集光され、また第２線状光源部２２から発せられた光は、光軸４０，５８から外側に屈曲されて照明領域上の外側に集光される。すなわち、第１線状光源部２０（第２線状光源部２２）からの光による照度分布のピークは、図６における照度分布８０（８２）のピークよりも上側（下側）に位置されるため、より広い面積の照明領域を照明することが可能となる。さらに、第３反射部３２Ａの凹面側を第３線状光源部２４に近接させた状態のまま第３反射部３２Ａの大きさをより大きく構成することができるため、第３反射部３２Ａの反射面の面積がより大きくなって、第３線状光源部２４からの光をより効率的に第３反射部３２Ａにて反射させることができ、照明領域における光量を増大させることが可能となる。
【００４０】
以上、本発明に従う種々の照明装置の実施形態について説明したが、本発明はかかる実施形態に限定されるものではなく、本発明の範囲を逸脱することなく種々の変形乃至修正が可能である。
【００４１】
例えば、上記実施形態では、第１及び第２反射部２８，３０の曲面の断面形状（すなわち、曲線部３４ａ，３４ｂ）をそれぞれ双曲線で構成したが、これに限られず、例えば楕円や放物線などの他の２次曲線で構成することも可能である。また、上記実施形態では、発光手段４をキセノン管１１から構成したが、透明な管体１２を有するものであれば他の種類の放電灯を用いることも可能である。さらにまた、集光手段１０をフレネルレンズではなく、凸レンズで構成することも可能である。
【図面の簡単な説明】
【００４２】
【図１】本発明の一実施形態による照明装置を示す要部断面図。
【図２】図１の発光手段及び反射手段を示す斜視図。
【図３】図１の集光手段を示す平面図。
【図４】図１の第３線状光源部からの配光を説明するための概略説明図。
【図５】図１の第１及び第２線状光源部からの配光を説明するための概略説明図。
【図６】図１の照明装置の照度分布を説明するための概略説明図。
【図７】他の実施形態による照明装置を示す要部断面図。
【符号の説明】
【００４３】
２，２Ａ  照明装置
４  発光手段
６，６Ａ  反射手段
８  照明領域
１０  集光手段
１１  キセノン管
１２  管体
１４  第１直管部
１６  第２直管部
１８  第３直管部
２０  第１線状光源部
２２  第２線状光源部
２４  第３線状光源部
２８，２８Ａ  第１反射部
３０，３０Ａ  第２反射部
３２，３２Ａ  第３反射部
４８  第１レンズ部
５０  第２レンズ部
【図１】
2006173054.tif 000004
【図２】
2006173054.tif 000005
【図３】
2006173054.tif 000006
【図４】
2006173054.tif 000007
【図５】
2006173054.tif 000008
【図６】
2006173054.tif 000009
【図７】
2006173054.tif 000010